(57)【特許請求の範囲】
【請求項１】
所定のタイプの電源プラグを他のタイプの電源プラグに変換するための変換アダプタであって、
フレームと、
前記フレームに対して回動可能に備えられることにより、フレーム内に納まる収納位置とフレームから電極ピンが突出する使用位置に相互に変更可能なプラグ部であって、適合可能なタイプをそれぞれ有する第１のプラグ部及び第２のプラグ部と、
前記第１のプラグ部と第２のプラグ部が、収納位置においてそれぞれの電極ピンが重なり合う位置となるように配されており、当該第１のプラグ部と第２のプラグ部を選択的に回動可能とさせる、前記フレームに対して摺動可能に設けられるスライド板と、
前記フレームの前面側に設けられるプラグ差し込み口と、
前記プラグ部と前記プラグ差し込み口とを電気的に接続する導電部と、
を備えることを特徴とするフレーム一体型電源プラグ変換アダプタ。
【請求項２】
前記第１のプラグ部の回動を規制する位置と前記第２のプラグ部の回動を規制する位置のそれぞれにおいて前記スライド板の摺動を係止する係止部を備えることを特徴とする請求項１に記載のフレーム一体型電源プラグ変換アダプタ。
【請求項３】
前記電極ピンが重なり合う位置において前記スライド板の摺動を係止する中間係止部を備えることを特徴とする請求項１又は請求項２に記載のフレーム一体型電源プラグ変換アダプタ。
【請求項４】
前記導電部が、
前記プラグ部が収納位置である場合には、前記プラグ部と前記プラグ差し込み口との導通が無く、
前記プラグ部が使用位置である場合に、前記プラグ部と前記プラグ差し込み口とが導通するように構成されていることを特徴とする請求項１から請求項３の何れかに記載のフレーム一体型電源プラグ変換アダプタ。
【請求項５】
所定のタイプの電源プラグを他のタイプの電源プラグに変換するための変換アダプタであって、
フレームと、
前記フレームに対して回動可能に備えられることにより、フレーム内に納まる収納位置とフレームから電極ピンが突出する使用位置に相互に変更可能なプラグ部と、
前記フレームの前面側に設けられるプラグ差し込み口と、
前記プラグ部と前記プラグ差し込み口とを電気的に接続する導電部と、
を備え、
Ａタイプ、Ｏタイプ、Ｏ２タイプの全て若しくは何れか２つに適合可能とするために電極ピンが回動可能とされている前記プラグ部が、回動反転連結機構を備えることにより、一方の電極ピンを回動させると、他方の電極ピンが逆方向に同じ角度だけ回動することを特徴とするフレーム一体型電源プラグ変換アダプタ。
【請求項６】
所定のタイプの電源プラグを他のタイプの電源プラグに変換するための変換アダプタであって、
フレームと、
前記フレームに対して回動可能に備えられることにより、フレーム内に納まる収納位置とフレームから電極ピンが突出する使用位置に相互に変更可能なプラグ部と、
前記フレームの前面側に設けられるプラグ差し込み口と、
前記プラグ部と前記プラグ差し込み口とを電気的に接続する導電部と、
を備え、
Ｃタイプ、Ｂタイプ、ＳＥタイプ、Ｂ３タイプ、ＢＦタイプ、ＣＢタイプの全て若しくは何れか複数に適合可能とするために、電極ピンが平行移動することでそのピッチが調整可能とされている前記プラグ部が、
前記電極ピンを、その移動方向へ付勢する付勢手段と、
前記付勢手段による付勢力に抗して前記電極ピンを所定位置で固定するロック機構と、
前記固定状態を解除するロック解除機構と、を備えることを特徴とするフレーム一体型電源プラグ変換アダプタ。
【請求項７】
前記プラグ部が収納位置となる際に前記固定状態を解除する収納位置ロック解除機構を備えることを特徴とする請求項６に記載のフレーム一体型電源プラグ変換アダプタ。
【請求項８】
前記第１のプラグ部と第２のプラグ部の全体若しくは一部に、それぞれの識別色が付され、
前記第１のプラグ部が適合するタイプを表示する表記が、前記第１のプラグ部の識別色で前記フレームに表示され、
前記第２のプラグ部が適合するタイプを表示する表記が、前記第２のプラグ部の識別色で前記フレームに表示されたことを特徴とする請求項１から請求項４の何れかに記載のフレーム一体型電源プラグ変換アダプタ。
【請求項９】
所定のタイプの電源プラグを他のタイプの電源プラグに変換するための変換アダプタであって、
フレームと、
前記フレームに対して回動可能に備えられることにより、フレーム内に納まる収納位置とフレームから電極ピンが前記フレームの後面側に突出する使用位置に相互に変更可能なプラグ部と、
前記フレームの前面側に設けられるプラグ差し込み口と、
前記プラグ部と前記プラグ差し込み口とを電気的に接続する導電部と、
前記フレーム前面に、前記プラグ部の回動を指で操作するための穴が形成されていることを特徴とするフレーム一体型電源プラグ変換アダプタ。
【発明の詳細な説明】
【技術分野】
【０００１】
本発明は、所定のタイプの電源プラグを他のタイプの電源プラグに変換するための変換アダプタに関する。
【背景技術】
【０００２】
電源コンセントのタイプ（差し込み口の形状）は、世界で統一されておらず、複数のタイプが存在する。タイプとしては、Ａタイプ、Ｏタイプ、Ｏ２タイプ、Ｂタイプ、Ｃタイプ、ＳＥタイプ、Ｂ３タイプ、ＢＦタイプ、ＣＢタイプで概ね網羅される。
そこで、タイプの異なる電源コンセントに対しても電気製品を使用することができるようにするための変換アダプタが用いられている。
特許文献１には、このような変換アダプタに関する従来技術が示されている。
【先行技術文献】
【特許文献】
【０００３】
【特許文献１】特開２０１５−２３０７８６
【発明の概要】
【発明が解決しようとする課題】
【０００４】
特許文献１で開示されている変換アダプタは、第１ケーシング１０と第２ケーシング２０の２つの分離する部材を有し、電源コンセントのタイプに応じて、一方のみを使用したり、両者を組み合わせて使用したりするものである。各タイプに適合させて使用できるため便利なものではあるが、第１ケーシング１０と第２ケーシング２０の分解や組み合わせの作業が煩雑であり、人によってはやや難解で常に説明書がないと使用できない可能性がある。この種の商品では、説明書がパッケージの一部となっている場合が多く、購入後説明書を無くして（捨てて）しまうことが生じがちであり、説明書なしでの組み合わせ方法が理解できないと実質的に使用できなくなるおそれがある。
また、分離する部品の何れかを紛失して（忘れて）しまうことも生じ得るものであった。
【０００５】
本発明は、上記の点に鑑み、比較的直観的な操作によって使用をすることができるフレーム一体型電源プラグ変換アダプタを提供することを目的とする。
【課題を解決するための手段】
【０００６】
（構成１）
所定のタイプの電源プラグを他のタイプの電源プラグに変換するための変換アダプタであって、フレームと、前記フレームに対して回動可能に備えられることにより、フレーム内に納まる収納位置とフレームから電極ピンが突出する使用位置に相互に変更可能なプラグ部と、前記プラグ部の回動方向を制限することにより、前記使用位置における電極ピンが突出する方向をフレームの背面側のみとする回動規制部材と、前記フレームの前面側に設けられるプラグ差し込み口と、前記プラグ部と前記プラグ差し込み口とを電気的に接続する導電部と、を備えることを特徴とするフレーム一体型電源プラグ変換アダプタ。
【０００７】
（構成２）
前記プラグ部が、適合可能なタイプをそれぞれ有する第１のプラグ部と第２のプラグ部を備え、前記第１のプラグ部と第２のプラグ部を選択的に回動可能とさせる使用プラグ選択部材を備えることを特徴とする構成１に記載のフレーム一体型電源プラグ変換アダプタ。
【０００８】
（構成３）
前記使用プラグ選択部材が、前記フレームに対して摺動可能に設けられるスライド板によって構成されたことを特徴とする構成２に記載のフレーム一体型電源プラグ変換アダプタ。
【０００９】
（構成４）
前記第１のプラグ部の回動を規制する位置と前記第２のプラグ部の回動を規制する位置のそれぞれにおいて前記スライド板の摺動を係止する係止部を備えることを特徴とする構成３に記載のフレーム一体型電源プラグ変換アダプタ。
【００１０】
（構成５）
前記第１のプラグ部と第２のプラグ部が、収納位置においてそれぞれの電極ピンが重なり合う位置となるように配されており、当該電極ピンが重なり合う位置において前記スライド板の摺動を係止する中間係止部を備えることを特徴とする構成３又は構成４に記載のフレーム一体型電源プラグ変換アダプタ。
【００１１】
（構成６）
前記導電部が、前記プラグ部が収納位置である場合には、前記プラグ部と前記プラグ差し込み口との導通が無く、前記プラグ部が使用位置である場合に、前記プラグ部と前記プラグ差し込み口とが導通するように構成されていることを特徴とする構成１から構成５の何れかに記載のフレーム一体型電源プラグ変換アダプタ。
【００１２】
（構成７）
Ａタイプ、Ｏタイプ、Ｏ２タイプの全て若しくは何れか２つに適合可能とするために電極ピンが回動可能とされている前記プラグ部が、回動反転連結機構を備えることにより、一方の電極ピンを回動させると、他方の電極ピンが逆方向に同じ角度だけ回動することを特徴とする構成１から構成６の何れかに記載のフレーム一体型電源プラグ変換アダプタ。
【００１３】
（構成８）
Ｃタイプ、Ｂタイプ、ＳＥタイプ、Ｂ３タイプ、ＢＦタイプ、ＣＢタイプの全て若しくは何れか複数に適合可能とするために、電極ピンが平行移動することでそのピッチが調整可能とされている前記プラグ部が、前記電極ピンをその移動方向へ付勢する付勢手段と、前記付勢手段による付勢力に抗して前記電極ピンを所定位置で固定するロック機構と、前記固定状態を解除するロック解除機構と、を備えることを特徴とする構成１から構成７の何れかに記載のフレーム一体型電源プラグ変換アダプタ。
【００１４】
（構成９）
前記プラグ部が収納位置となる際に前記固定状態を解除する収納位置ロック解除機構を備えることを特徴とする構成８に記載のフレーム一体型電源プラグ変換アダプタ。
【００１５】
（構成１０）
前記プラグ部が、適合可能なタイプをそれぞれ有する第１のプラグ部と第２のプラグ部を備え、前記第１のプラグ部と第２のプラグ部の全体若しくは一部に、それぞれの識別色が付され、前記第１のプラグ部が適合するタイプを表示する表記が、前記第１のプラグ部の識別色で前記フレームに表示され、前記第２のプラグ部が適合するタイプを表示する表記が、前記第２のプラグ部の識別色で前記フレームに表示されたことを特徴とする構成１から構成９の何れかに記載のフレーム一体型電源プラグ変換アダプタ。
【００１６】
（構成１１）
前記回動規制部材が、前記フレームの前面で構成されたことを特徴とする構成１から構成１０の何れかに記載のフレーム一体型電源プラグ変換アダプタ。
【００１７】
（構成１２）
前記フレーム前面に、前記プラグ部の回動を指で操作するための穴が形成されていることを特徴とする構成１１に記載のフレーム一体型電源プラグ変換アダプタ。
【発明の効果】
【００１８】
本発明のフレーム一体型電源プラグ変換アダプタによれば、比較的直観的な操作によってこれを使用することができる。
【図面の簡単な説明】
【００１９】
【図１】本発明に係る実施形態のフレーム一体型電源プラグ変換アダプタを示す図
【図２】各プラグ部や各アースピンを全て使用位置とした状態を示す説明図
【図３】背面側カバーをとった状態を示す斜視図
【図４】第１のプラグ部１２を起こした状態（使用位置）を示す図
【図５】電極ピンのピッチ幅ロック／解除機構について説明するための図
【図６】電極ピンの回動反転連結機構について説明するための図
【図７】Ｂ３タイプの電源コンセントに使用する場合の説明図
【図８】ＣＢタイプの電源コンセントに使用する場合の説明図
【図９】Ｃ、Ｂ、ＳＥタイプの電源コンセントに使用する場合の説明図
【図１０】ＢＦタイプの電源コンセントに使用する場合の説明図
【図１１】Ａタイプの電源コンセントに使用する場合の説明図
【図１２】Ｏタイプの電源コンセントに使用する場合の説明図
【図１３】Ｏ２タイプの電源コンセントに使用する場合の説明図
【発明を実施するための形態】
【００２０】
以下、本発明の実施態様について、図面を参照しながら具体的に説明する。なお、以下の実施態様は、本発明を具体化する際の一形態であって、本発明をその範囲内に限定するものではない。
【００２１】
図１は、本発明に係る実施形態のフレーム一体型電源プラグ変換アダプタを示す図であり、（ａ）：前面側斜視図、（ｂ）：背面側斜視図である。また、図２は、下記で説明する各プラグ部や各アースピンを全て使用位置とした状態を示す図である。なお、図２は、説明のための図（スライド板１４が無い状態の図）であり、実際の使用では図２のような使用形態は無い。
フレーム一体型電源プラグ変換アダプタ１は、Ａタイプ、Ｏタイプ、Ｏ２タイプ、Ｂタイプ、Ｃタイプ、ＳＥタイプ、Ｂ３タイプ、ＢＦタイプ、ＣＢタイプの電源コンセントに対して電気製品を使用することができるようにするための変換アダプタである。このためにフレーム一体型電源プラグ変換アダプタ１は、上記９タイプのプラグ（電気製品の電源プラグ）を受け入れ可能なプラグ差し込み口１５を前面側に備え、背面側に、Ｃタイプ、Ｂタイプ、ＳＥタイプ、Ｂ３タイプ、ＢＦタイプ、ＣＢタイプに適合可能な第１のプラグ部１２と、Ａタイプ、Ｏタイプ、Ｏ２タイプに適合可能な第２のプラグ部１３と、を備える。また、各タイプに適合させるための各アースピン（丸型アースピン１６、角型アースピン１７、平刃型アースピン１８、ＣＢ用アースピン１２３）を備える。
【００２２】
本実施形態のフレーム一体型電源プラグ変換アダプタ１は、背面側が基本的に開口しているフレーム１１を有し、当該フレーム１１内に各構成が収められた一体型の変換アダプタである。
図１、図２から理解されるように、第１のプラグ部１２、第２のプラグ部１３、各アースピン（丸型アースピン１６、角型アースピン１７、平刃型アースピン１８）は、フレーム１１に対して回動可能に備えられ、フレーム内に納まる収納位置と、フレームからが突出する使用位置、に相互に変更可能に配される。
フレーム１１の前面側には前面部１１５が形成されており、第１のプラグ部１２や第２のプラグ部１３は前面側には回動することができず、背面側でのみ“使用位置”とすることができる。即ち、前面部１１５が回動規制部材として機能するものである。
第１のプラグ部１２と第２のプラグ部１３は、図１、２から理解されるように、“観音開き”するような構成としてフレーム１１に軸着され、収納位置においてそれぞれの電極ピンが重なり合う位置となるように配される。
また、フレーム１１の前面部１１５には、第１のプラグ部１２の回動を指で操作するための（前面側から押すための）穴１１６と、第２のプラグ部１３の回動を指で操作するための穴１１７が形成される。
【００２３】
フレーム１１には、スライド板１４が摺動可能に設けられる。スライド板１４は、第１のプラグ部１２と第２のプラグ部１３を選択的に回動可能（使用位置）とさせる部材（使用プラグ選択部材）である。即ち、スライド板１４によって、図２のような第１のプラグ部１２と第２とプラグ部１３が同時に起こされた状態が防止されるものである。
スライド板１４は、両側面を有する断面コ字型に形成され、両側面の内側に段差凹部が形成される。当該両側面の段差凹部を、フレーム１１の両側面に形成されたガイドレール１１３に対して嵌め込む事により、スライド板１４がフレーム１１に対して摺動可能に設けられる。なお、両側面のガイドレール１１３（及びこれに対応する段差凹部）は、左右で異なる高さで形成され、これにより、スライド板１４の取り付け方向を規定している。即ち、スライド板１４が上下反対に取り付けられることが防止される。
フレーム１１の両側面には、第１のプラグ部１２の回動を規制する位置と第２のプラグ部１３の回動を規制する位置のそれぞれにおいてスライド板１４の摺動を係止する係止部１９３と、係止部１９１が形成される。また、第１のプラグ部１２と第２のプラグ部１３の電極ピンが重なり合う位置においてスライド板１４の摺動を係止する中間係止部１９２が形成される。
スライド板１４の両側面の内側には、これらの係止部（凸部）１９に乗り上げて仮止めされる係止受部１４１が形成される。係止受部１４１は、スライド板１４の両側面において、内側にスロープを有して山状に膨出し、その山頂部において凹部（係止部（凸部）１９を軽く受け入れるもの）が形成されたものである。
上記各構成により、スライド板１４は基本的にはスムーズにスライドし、上端付近（第２のプラグ部１３を引き起こし可能とし、第１のプラグ部１２の引き起こし不可の位置）及び下端付近（第１のプラグ部１２を引き起こし可能とし、第２のプラグ部１３の引き起こし不可の位置）、及び中間付近（両プラグ部の引き起こし不可の位置）において、軽く係止される（カチッと止まる）ものである。
【００２４】
図３は、フレーム１１の背面側カバーをとった状態を示す斜視図である。
第１のプラグ部１２は、その両側面に形成される軸部１２５によって、フレーム１１に軸着され、図３（ａ）〜（ｃ）に示されるように起きあがる構成とされる。
第１のプラグ部１２には、電極ピン１２１ａ、ｂが備えられ、これとそれぞれ導通する後端電極１２４ａ、ｂが、軸部１２５に対して電極ピン１２１ａ、ｂの反対側となる位置に形成される。
また、フレーム１１内には、プラグ差し込み口１５の一方電極を形成する導体１１１ａ３と、他方電極を形成する導体１１１ｂ３がそれぞれ配される。導体１１１ａ３、ｂ３は、上記した後端電極１２４ａ、ｂと接する弾性電極１１１ａ１、ｂ１と、導体１１１ａ、ｂによって接続される。
図３（ａ）に示されるように、第１のプラグ部１２が収納位置にある状態では、後端電極１２４ａ、ｂが何にも触れない状態となり、第１のプラグ部１２は導通しない。図３（ｂ）〜（ｃ）に示されるように第１のプラグ部１２が引き起こされるに従い、後端電極１２４ａ、ｂが弾性電極１１１ａ１、ｂ１と接し、導通状態となる。即ち、弾性電極１１１ａ１、ｂ１と、導体１１１ａ、ｂによって、第１のプラグ部１２とプラグ差し込み口１５とが電気的に接続されるものである。なお、弾性電極１１１ａ１、ｂ１は、板バネ状に形成されることで、後端電極１２４ａ、ｂとの接触をより確実なものとしている。
上記構成により、第１のプラグ部１２が収納位置である場合には、第１のプラグ部１２とプラグ差し込み口１５との導通が無く、第１のプラグ部１２が使用位置である場合に、第１のプラグ部１２とプラグ差し込み口１５とが導通するように構成される。
なお、ここでは、第１のプラグ部１２のみについて説明したが、第２のプラグ部１３においても同様の構成を有し、収納位置で非導通、使用位置で導通するように構成されている。
【００２５】
図４は、第１のプラグ部１２を起こした状態（使用位置）を示す図であり、図４（ａ）は斜視図、図４（ｂ）は図４（ａ）において第１のプラグ部１２の前面側カバー１２２２を無くした状態の図である。
第１のプラグ部１２は、カバー１２２（前面側カバー１２２２、背面側カバー１２２１）内に、電極ピン１２１ａ、ｂをそれぞれ左右に平行移動可能に支持する移動支持部材１２５ａ、ｂが備えられる。移動支持部材１２５ａ、ｂは、バネ１２６（付勢手段）によってその間隔を広げるように付勢されている。
移動支持部材１２５ａ、ｂには、ピッチ調節用つまみ１２５ａ１、ｂ１がそれぞれ形成される。図４（ａ）に示されるように、ピッチ調節用つまみ１２５ａ１、ｂ１は、カバー１２２から突出した状態となる。これにより、ピッチ調節用つまみ１２５ａ１、ｂ１をつまむことで、バネ１２６（付勢手段）による付勢力に抗して、電極ピン１２１ａ、ｂのピッチを狭めることができる。なお、図４（ａ）、（ｂ）では、当該付勢力に抗してピッチが狭い状態に保持（ロック）された状態を示している（当該ロック機構については以下で説明する）。
【００２６】
移動支持部材１２５ａ、ｂには、それぞれ板バネ状羽根部材１２５ａ２、ｂ２が形成され、板バネ状羽根部材１２５ａ２、ｂ２の先端部分には突起部が形成される。
また、フレーム１１には突起１１２ａ、ｂが形成される。当該突起１１２ａ、ｂは、第１のプラグ部１２が収納位置となる状態において、板バネ状羽根部材１２５ａ２、ｂ２と当接し、これを押し上げる部材である。そのために、図４（ａ）に示されるように、第１のプラグ部１２の前面側カバー１２２２には、穴１２２２ａ１、ｂ１が形成される。
図５は、電極ピン１２１ａ、ｂのピッチ幅ロック機構と、ロック解除機構（収納位置ロック解除機構）について説明するための図である。
図５（ａ）は、突起１１２ａ、ｂがまだ板バネ状羽根部材１２５ａ２、ｂ２と当接していない状態を示した図であり、図５（ｂ）〜（ｄ）はロック機構と解除機構を説明するためにその一部を断面表示したものである（なお、図５（ｂ）、（ｄ）と、図５（ｃ）では、断面位置が異なっている）。
図５（ｂ）に示されるように、前面側カバー１２２２の内面側には、板バネ状羽根部材１２５ａ２、ｂ２の先端の突起部と突き当たる部材である、凸部１２２２ａ、ｂが形成される。板バネ状羽根部材１２５ａ２、ｂ２が有する弾性力によって、板バネ状羽根部材１２５ａ２、ｂ２の先端の突起部は図面下方向へと付勢されているため、凸部１２２２ａ、ｂと突き当り、これによって、電極ピン１２１ａ、ｂが広がる方向へ移動できない（バネ１２６の付勢力に抗してロックされている）ものである。
第１のプラグ部１２を倒しこんでいく（収納位置に近づける）と、図５（ｃ）に示されるように、突起１１２ａ、ｂが、前面側カバー１２２２の穴１２２２ａ１、ｂ１に入りこみ、板バネ状羽根部材１２５ａ２、ｂ２と当接する。これがさらに進むと、板バネ状羽根部材１２５ａ２、ｂ２が図面上方向に押し上げられる結果となり、これにより、図５（ｄ）に示されるように、板バネ状羽根部材１２５ａ２、ｂ２の先端の突起部が、凸部１２２２ａ、ｂを乗り越え、ロックが解除されて、電極ピン１２１ａ、ｂのピッチが広がる。即ち、第１のプラグ部１２を収納位置に戻すことにより、自動的に電極ピン１２１ａ、ｂのロックが解除されるものである。
なお、図５（ｄ）の状態から、第１のプラグ部１２を引き起こして、ピッチ調節用つまみ１２５ａ１、ｂ１をつまむことで、板バネ状羽根部材１２５ａ２、ｂ２の先端の突起部が凸部１２２２ａ、ｂを再度乗り越え、図５（ｂ）に示したロック状態となる、即ち、電極ピン１２１ａ、ｂのピッチ幅が狭くなった状態を保持するものである。
【００２７】
図６は、第２のプラグ部１３における、電極ピンの回動反転連結機構について説明するための図である。図６（ａ）、（ｃ）は、第２のプラグ部１３のカバー１３２（前面側カバー（図示せず）、背面側カバー１３２１）の、前面側カバーを取った状態を示す斜視図である。図６（ｂ）、（ｄ）は、電極ピン１３１ａ、ｂをハの字状に回転させた状態を示す斜視図である。
第２のプラグ部１３には、電極ピン１３１ａ、ｂが備えられ、これとそれぞれ導通する後端電極１３４ａ、ｂが、軸部１３５に対して電極ピン１３１ａ、ｂの反対側となる位置に形成される。以下で説明するように、電極ピン１３１ａ、ｂは所定角度範囲で回動可能となるが、電極ピン１３１ａ、ｂと後端電極１３４ａ、ｂは、回転接触部を備えることで、電極ピン１３１ａ、ｂが回動しても、電気的な接続が保たれる。
【００２８】
第２のプラグ部１３には、電極ピン１３１ａ、ｂをそれぞれ回動可能（所定角度範囲のみ回動可能）に支持する回動支持部材１３５ａ、ｂが備えられる。
回動支持部材１３５ａ、ｂには、対向するように耳部１３５ａ１、ｂ１が形成され、耳部１３５ａ１における耳部１３５ｂ１と対向する箇所には凸部が形成され、耳部１３５ｂ１における耳部１３５ａ１と対向する箇所には前記凸部を受け入れる長孔が形成される。耳部１３５ａ１の凸部が、耳部１３５ｂ１の長孔に挿入される構成とされることにより、図６に示されるように、一方の電極ピンを回動させると、これに連動して他方の電極ピンが逆方向に同じ角度だけ回動するものである。即ち、凸部を有する耳部１３５ａ１と、長孔を有する耳部１３５ｂ１によって、回動反転連結機構が構成されるものである。
【００２９】
図７は、Ｂ３タイプの電源コンセントに使用する場合の説明図である。
先ずスライド板１４を下側にスライドさせることにより、第１のプラグ１２を引き起こし可能とする（これにより第２のプラグ１３を引き起こしが不可とされる）。次に、丸型アースピン１６（角型アースピン１７を内包）と第１のプラグ１２を９０°引き起こすことで使用位置とする。最後に、スライド板１４を中間位置に戻す。なお、スライド板１４を中間位置に戻さなくとも使用に支障はないが、より安全な使用とするために、中間位置に戻すこととしている（以下の各タイプにおける使用態様においても同様）。
【００３０】
図８は、ＣＢタイプの電源コンセントに使用する場合の説明図である。
先ずスライド板１４を下側にスライドさせることにより、第１のプラグ１２を引き起こし可能とする。次に、丸型アースピン１６（角型アースピン１７を内包）を１８０°引き起こし、第１のプラグ１２を９０°引き起こす。ピッチ調節用つまみ１２５ａ１、ｂ１をつまむことで、ピッチ幅を調節（ロック）するとともに、第１のプラグ１２に対して回動可能に備えられたＣＢ用アースピン１２３を１８０°回転させ、第１のプラグ１２と平行にする。最後に、スライド板１４を中間位置に戻す。
【００３１】
図９は、Ｃ、Ｂ、ＳＥタイプの電源コンセントに使用する場合の説明図である。
先ずスライド板１４を下側にスライドさせることにより、第１のプラグ１２を引き起こし可能とする。次に、丸型アースピン１６（角型アースピン１７を内包）を１８０°引き起こし、第１のプラグ１２を９０°引き起こす。ピッチ調節用つまみ１２５ａ１、ｂ１をつまむことで、ピッチ幅を調節（ロック）し、最後に、スライド板１４を中間位置に戻す。
【００３２】
図１０は、ＢＦタイプの電源コンセントに使用する場合の説明図である。
先ずスライド板１４を下側にスライドさせることにより、第１のプラグ１２を引き起こし可能とする。次に、丸型アースピン１６を１８０°引き起こし、角型アースピン１７と第１のプラグ１２を９０°引き起こす。最後に、スライド板１４を中間位置に戻す。
【００３３】
図１１は、Ａタイプの電源コンセントに使用する場合の説明図である。
先ずスライド板１４を上側にスライドさせることにより、第２のプラグ１３を引き起こし可能とする（これにより第１のプラグ１２を引き起こしが不可とされる）。次に、平刃型アースピン１８を１８０°引き起こし、第２のプラグ１３を９０°引き起こすことで使用位置とする。最後に、スライド板１４を中間位置に戻す。
【００３４】
図１２は、Ｏタイプの電源コンセントに使用する場合の説明図である。
先ずスライド板１４を上側にスライドさせることにより、第２のプラグ１３を引き起こし可能とする。次に、平刃型アースピン１８を１８０°引き起こし、第２のプラグ１３を９０°引き起こす。第２のプラグ１３の電極ピン１３１を回転させてハの字状とし、最後にスライド板１４を中間位置に戻す。
【００３５】
図１３は、Ｏ２タイプの電源コンセントに使用する場合の説明図である。
先ずスライド板１４を上側にスライドさせることにより、第２のプラグ１３を引き起こし可能とする。次に、平刃型アースピン１８と第２のプラグ１３を９０°引き起こす。第２のプラグ１３の電極ピン１３１を回転させてハの字状とし、最後にスライド板１４を中間位置に戻す。
【００３６】
以上のごとく、本実施形態のフレーム一体型電源プラグ変換アダプタ１によれば、プラグ部の回動方向（引き起こし方向）が限定されているため、ユーザが操作に迷う事がなく、上記図７〜図１３における各タイプの使用説明からも理解されるように、比較的直観的な操作によって使用をすることができる。フレーム１１の前面部１１５には、第１、２のプラグ部１２、１３の回動を指で操作するための穴１１６、１１７が形成されているため（図１参照）、プラグ部の引き起こし操作も良好である。また、フレーム一体型であるため、分解・組立型のアダプタで生じ得た部品の紛失等のおそれがない。
【００３７】
なお、本実施形態のフレーム一体型電源プラグ変換アダプタ１は、第１のプラグ部１２と第２のプラグ部１３に、これらを相互に識別する色が付され、第１のプラグ部１２が適合するタイプを表示する表記が、第１のプラグ部１２の識別色でフレーム１１に表示され、第２のプラグ部１３が適合するタイプを表示する表記が、第２のプラグ部１３の識別色でフレーム１１に表示されている。より具体的には、第１のプラグ部１２のカバー１２２が淡いグレーに着色されており、第２のプラグ部１３のカバー１３２が濃いグレーに着色されている。図１に示されるように、第１のプラグ部１２の近辺には、第１のプラグ部１２が対応するＣタイプ、Ｂタイプ、ＳＥタイプ、Ｂ３タイプ、ＢＦタイプ、ＣＢタイプを表示するマークＭ１が、フレーム１１の前面側および背面側の両面に表示され、これが淡いグレーで表示されている。また、フレーム１１の前面側および背面側の両面の第２のプラグ部１３の近辺に、第２のプラグ部１３が対応するＡタイプ、Ｏタイプ、Ｏ２タイプを表示するマークＭ２が、濃いグレーで表示される。
これらの構成によっても、直観的な使用が可能となっているものである。
【００３８】
本実施形態のフレーム一体型電源プラグ変換アダプタ１によれば、スライド板（使用プラグ選択部材）１４によって、使用可能位置とすることができるプラグ部を何れか一方に限定させているため、安全性を高めることができる。
即ち、図７〜１３によって理解されるように、第１のプラグ１２（または第２のプラグ１３）が引き起こされている場合、引き起こされた第１のプラグ１２（または第２のプラグ１３）に突き当たってスライド板１４が上部（または下部）へスライドできないため、第２のプラグ１３（または第１のプラグ１２）を引き起こすことができない。
仮に、図２のごとく双方のプラグ部を引き起こしてしまうと、何れも導通状態となるため、誤った使用をしてしまうと危険な状態となるが、本実施形態のフレーム一体型電源プラグ変換アダプタ１によれば、図２のような状態となることが防止されるものである。
また、本実施形態のフレーム一体型電源プラグ変換アダプタ１では、収納状態のプラグ部が導通しないようにしているため、この点でも安全性に優れる。
【００３９】
本実施形態のフレーム一体型電源プラグ変換アダプタ１によれば、第１のプラグ部１２に、電極ピン１２１ａ、ｂのピッチを狭い状態で保持するロック機構を備えているため、操作性に優れる。
このようなロック機構の無い従来品においては、ピッチ調節用つまみ等をつまみながら（付勢力に抗して）コンセントへ差し込むという動作が必要であり、ピッチ幅がうまく合わない（つまみが不十分）といった不便さ（指の力が低下した高齢者等ではこれが顕著となる）があったが、本実施形態によれば、予めピッチ幅を適正にしてロックすることができるため、コンセントへの差し込み作業における上記不具合がない。
また、本実施形態のフレーム一体型電源プラグ変換アダプタ１によれば、第１のプラグ部１２を収納位置に戻すことで、自動的にロックが解除されるため、ロック解除の操作性においても優れている。
【００４０】
本実施形態のフレーム一体型電源プラグ変換アダプタ１によれば、第２のプラグ部１３が、回動反転連結機構を備えることにより、一方の電極ピンを回動させることで、これに連動して他方の電極ピンも回動するため、操作性に優れる。
【００４１】
なお、本実施形態においては、プラグ部の回動方向を制限する回動規制部材が、前面部１１５によって構成されるものを例としているが、その他の構成によって回動方向を制限するものであってもよい。例えば、プラグ部の軸部等において、回転角度を制限する構造とする等であってよい。
また、プラグ部の回動方向について、本実施形態においては、第１のプラグ部と第２のプラグ部が“観音開き”するような構成としているが、これに限られるものではなく、第１のプラグ部と第２のプラグ部が本実施形態とは逆の方向に回動する構成や、両プラグが同一方向に回動する構成としてもよい。ただし、本実施形態のものの方が、収納位置においてそれぞれの電極ピンが重なり合う位置となるように配置することが可能であり、小型化の面で有利である。
【００４２】
本実施形態においては、使用プラグ選択部材としてスライド板を用いるものを示したが、これに限られるものではなく、第１のプラグ部と第２のプラグ部を選択的に使用可能とさせる機構であればよい。例えば、第１のプラグ部と第２のプラグ部を回動させる軸部に、回動をロック／解除させる機構を設け、この第１のプラグ部と第２のプラグ部の軸部のロックを選択的に解除させる機構を設ける等としてもよい。
【００４３】
本実施形態では、第１のプラグ部の電極ピンのピッチロック機構について、第１のプラグ部を収納位置にした際にロック解除させるもの（収納位置ロック解除機構）としているが、ユーザが直接的にロックを解除できるようにロック解除用のツマミやボタン等を設けるようにしてもよい。
【符号の説明】
【００４４】
１．．．フレーム一体型電源プラグ変換アダプタ
１１．．．フレーム
１１１ａ、１１１ｂ．．．導体（導電部）
１１１ａ１、１１１ｂ１．．．弾性電極（導電部）
１１５．．．前面部（回動規制部材）
１１６、１１７．．．穴
１２．．．第１のプラグ部
１２２２ａ、１２２２ｂ．．．凸部（ロック／解除機構）
１１２ａ、１１２ｂ．．．突起（収納位置ロック解除機構）
１２５ａ２、１２５ｂ２．．．板バネ状羽根部材（ロック／解除機構）
１２６．．．バネ（付勢手段）
１３．．．第２のプラグ部
１３５ａ１、１３５ｂ１．．．耳部（回動反転連結機構）
１４．．．スライド板（使用プラグ選択部材）
１５．．．プラグ差し込み口
１９１、１９３．．．係止部
１９２．．．中間係止部
【図１】
0006716111.tif 000002
【図２】
0006716111.tif 000003
【図３】
0006716111.tif 000004
【図４】
0006716111.tif 000005
【図５】
0006716111.tif 000006
【図６】
0006716111.tif 000007
【図７】
0006716111.tif 000008
【図８】
0006716111.tif 000009
【図９】
0006716111.tif 000010
【図１０】
0006716111.tif 000011
【図１１】
0006716111.tif 000012
【図１２】
0006716111.tif 000013
【図１３】
0006716111.tif 000014